(57)【要約】      （修正有）【課題】クリーン工場のための空気清浄調和用小型ヒュームフードを提供する。【解決手段】固定フレーム１を含む小型ヒュームフードであって、固定フレーム１の頂端に浄化タンク２が固定接続され、浄化タンク２の底部の一端に接続フレーム３が固定接続されており、浄化タンク２の頂部の一端に通気ダクト４が固定接続され、通気ダクト４の底部に濾過ネットが固定接続され、浄化タンク２の頂端に噴水ヘッドが固定接続され、浄化タンク２の底部に貯水タンクが固定接続され、貯水タンクの一端に圧力ポンプ８が固定接続され、圧力ポンプ８の一端に輸送管９が固定接続され、輸送管９の一端と噴水ヘッドとが固定接続されており、接続フレーム３の内部に固定型ばねが固定接続され、固定型ばねの一端に調整プレート１１が固定接続され、調整プレート１１の一端に保護ブロック１２が固定接続され、接続フレーム３の一端に密封バー１３が固定接続されている。【選択図】図１
0003229686.tif 000002
【実用新案登録請求の範囲】
【請求項１】
固定フレーム１を含むクリーン工場のための空気清浄調和用小型ヒュームフードであって
、
前記固定フレーム１の頂端に浄化タンク２が固定接続され、前記浄化タンク２の底部の一
端に接続フレーム３が固定接続されており、
前記浄化タンク２の頂部の一端に通気ダクト４が固定接続され、前記通気ダクト４の底部
に濾過ネット５が固定接続され、前記浄化タンク２の頂端に噴水ヘッド６が固定接続され
、前記浄化タンク２の底部に貯水タンク７が固定接続され、前記貯水タンク７の一端に圧
力ポンプ８が固定接続され、前記圧力ポンプ８の一端に輸送管９が固定接続され、前記輸
送管９の一端と噴水ヘッド６とが固定接続されており、
前記接続フレーム３の内部に固定型ばね１０が固定接続され、前記固定型ばね１０の一端
に調整プレート１１が固定接続され、前記調整プレート１１の一端に保護ブロック１２が
固定接続され、前記接続フレーム３の一端に密封バー１３が固定接続されている、
ことを特徴とする前記クリーン工場のための空気清浄調和用小型ヒュームフード。
【請求項２】
前記浄化タンク２の底部に固定フレーム１に係合する固定溝が開設され、前記浄化タンク
２の底端の中部に貯水タンク７に係合する凹溝が開設され、前記固定フレーム１の高度が
貯水タンク７の高度より大きくすることを特徴とする請求項１に記載のクリーン工場のた
めの空気清浄調和用小型ヒュームフード。
【請求項３】
前記浄化タンク２の一端の底部に接続フレーム３に係合する溝口が開設され、前記浄化タ
ンク２の他端の頂部に通気ダクト４に係合する通気口が開設されていることを特徴とする
請求項１に記載のクリーン工場のための空気清浄調和用小型ヒュームフード。
【請求項４】
前記浄化タンク２の頂端に噴水ヘッド６に係合する固定溝が開設され、前記浄化タンク２
の一端に輸送管９に係合する溝口が開設されていることを特徴とする請求項１に記載のク
リーン工場のための空気清浄調和用小型ヒュームフード。
【請求項５】
前記通気ダクト４は下向きに開口するＬ字状のダクトとし、前記通気ダクト４の底部に濾
過ネット５に係合する固定溝が開設されていることを特徴とする請求項１に記載のクリー
ン工場のための空気清浄調和用小型ヒュームフード。
【請求項６】
前記噴水ヘッド６の一端に輸送管９に係合する固定溝が開設され、前記貯水タンク７の底
部の一端に圧力ポンプ８に係合する出水孔が開設されていることを特徴とする請求項１に
記載のクリーン工場のための空気清浄調和用小型ヒュームフード。
【請求項７】
前記接続フレーム３の両端に調整プレート１１に係合する溝口が開設され、前記接続フレ
ーム３の一端に密封バー１３に係合する固定溝が開設されていることを特徴とする請求項
１に記載のクリーン工場のための空気清浄調和用小型ヒュームフード。
【請求項８】
前記調節フレーム１１の一端に固定型ばね１０に係合する定位溝が開設され、前記調節フ
レーム１１の他端に保護ブロック１２に係合する固定溝が開設されていることを特徴とす
る請求項１に記載のクリーン工場のための空気清浄調和用小型ヒュームフード。
【考案の詳細な説明】
【技術分野】
【０００１】
本実用新案は、空気清浄調和装置の技術分野に関するもので、特に、クリーン工場のため
の空気清浄調和用小型ヒュームフードに関する。
【従来の技術】
【０００２】
クリーン工場とは、一定範囲内の空気中の微粒子、有害気体、細菌などの汚染物を排除し
、室内の温度、清潔度、室内圧、気流速度および分布、ノイズ振動、照明、および静電気
の状態を所定の範囲内にコントロールすることが可能で、食品、薬品などの広い範囲の製
品生産に応用できる製造場をいう。また、小型の実験室の場合、一般的に空気調和ヒュー
ムフードを利用して室内の空気を冷ましたり、室内温度を下げたりすることで、室内空気
を清新かつ恒温にさせるように保証する必要がある。クリーン実験室の内部環境に対して
厳しい要求があって、室内を一定の無塵度（クリーン度）に維持させなければならなく、
実験結果への塵灰の影響を回避できるだけでなく、設備の運転による実験者への悪影響を
も防止できるように保証するためである。ところが、従来において使用される空気調和装
置は、空気のフィルター機能を備えているが、クリーン工場向けのものとしては、まだい
くつかの問題が存在する。
【０００３】
・クリーン工場は、回って通気する空気の清浄度に関しては、非常に厳しい要求があるが
、従来の空気調和器は、空気に対する集塵効果が良好でなく、回っている空気でクリーン
工場に汚染をもたらしやすい。
・従来のヒュームフードと調和装置の通気口の間の接続や固定作業が複雑すぎて、ヒュー
ムフードの組立ては不便である。
【考案の概要】
【０００４】
上記の問題を解決するために、本実用新案は、以下のクリーン工場のための空気清浄調和
用小型ヒュームフードを提供する。
固定フレーム１を含むクリーン工場のための空気清浄調和用小型ヒュームフードであっ
て、前記固定フレーム１の頂端に浄化タンク２が固定接続され、前記浄化タンク２の底部
の一端に接続フレーム３が固定接続されており、前記浄化タンク２の頂部の一端に通気ダ
クト４が固定接続され、前記通気ダクト４の底部に濾過ネット５が固定接続され、前記浄
化タンク２の頂端に噴水ヘッド６が固定接続され、前記浄化タンク２の底部に貯水タンク
７が固定接続され、前記貯水タンク７の一端に圧力ポンプ８が固定接続され、前記圧力ポ
ンプ８の一端に輸送管９が固定接続され、前記輸送管９の一端と噴水ヘッド６とが固定接
続されており、前記接続フレーム３の内部に固定型ばね１０が固定接続され、前記固定型
ばね１０の一端に調整プレート１１が固定接続され、前記調整プレート１１の一端に保護
ブロック１２が固定接続され、前記接続フレーム３の一端に密封バー１３が固定接続され
ている、クリーン工場のための空気清浄調和用小型ヒュームフードである。
好ましくは、前記浄化タンク２の底部に固定フレーム１に係合する固定溝が開設され、
前記浄化タンク２の底端の中部に貯水タンク７に係合する凹溝が開設され、前記固定フレ
ーム１の高度が貯水タンク７の高度より大きくする。
好ましくは、前記浄化タンク２の一端の底部に接続フレーム３に係合する溝口が開設さ
れ、前記浄化タンク２の他端の頂部に通気ダクト４に係合する通気口が開設されている。
好ましくは、前記浄化タンク２の頂端に噴水ヘッド６に係合する固定溝が開設され、前
記浄化タンク２の一端に輸送管９に係合する溝口が開設されている。
好ましくは、前記通気ダクト４は下向きに開口するＬ字状のダクトとし、前記通気ダク
ト４の底部に濾過ネット５に係合する固定溝が開設されている。
好ましくは、前記噴水ヘッド６の一端に輸送管９に係合する固定溝が開設され、前記貯
水タンク７の底部の一端に圧力ポンプ８に係合する出水孔が開設されている。
好ましくは、前記接続フレーム３の両端に調整プレート１１に係合する溝口が開設され
、前記接続フレーム３の一端に密封バー１３に係合する固定溝が開設されている。
好ましくは、前記調節フレーム１１の一端に固定型ばね１０に係合する定位溝が開設さ
れ、前記調節フレーム１１の他端に保護ブロック１２に係合する固定溝が開設されている
。
【０００５】
本実用新案は以下の利点を有する。
（１）本考案の動作原理について説明する。本クリーン工場のための空気清浄調和用小型
ヒュームフードは、その使用際において、通気ダクトにより浄化タンクの内部に通気して
、濾過ネットにより通気ダクトに入り込む空気を初歩濾過して、圧力ポンプを起動して、
圧力ポンプにより貯水タンク内の水を輸送管に導入して、輸送管により水を噴水ヘッドに
案内して、噴水ヘッドにより浄化タンク内の水を噴出して、浄化タンクの内部で水霧を形
成して、浄化タンク内の水霧により浄化タンク内の空気中の灰塵粒を吸着することによっ
て、調和装置に通気する空気を除塵して、空気中の灰塵のクリーン工場への侵入を防止で
きるので、クリーン工場に対する保護性を向上する。
【０００６】
（２）クリーン工場のための空気清浄調和用小型ヒュームフードは、その使用際において
、調整プレートを引いて、調整プレートにより固定型ばねを引き張って、調整プレートを
接続フレームの反対方向へ移動させて、両調整プレート間の距離を増加することで、接続
フレームを調和装置の通気口に近接させて、調整プレートを固定型ばねによって調和装置
の通気口の外壁に係合接続させる。保護ブロックによって調整プレートと調和装置の通気
口の外壁との摩擦を増大する。密封バーによって接続フレームと調和装置の通気口との密
封性を向上する。接続フレームを快速で調和装置の通気口に接続させることができるので
、ヒュームフードの取付と使用が便利である。。
【図面の簡単な説明】
【０００７】
【図１】本実用新案の構成模式図。
【図２】本実用新案の固定フレームの構成模式図。
【図３】本実用新案の接続フレームの構成模式図。
【図４】本実用新案の浄化タンクの断面構成模式図。
【図５】本実用新案の接続フレームの断面構成模式図。
【考案を実施するための形態】
【０００８】
以下、図面とともに、本実施形態について説明する。
図１〜図５に示されるよに、本クリーン工場のための空気清浄調和用小型ヒュームフード
は、固定フレーム１を含み、固定フレーム１の頂端に浄化タンク２が固定接続され、浄化
タンク２の底部の一端に接続フレーム３が固定接続されており、浄化タンク２の頂部の一
端に通気ダクト４が固定接続され、通気ダクト４の底部に濾過ネット５が固定接続され、
浄化タンク２の頂端に噴水ヘッド６が固定接続され、浄化タンク２の底部に貯水タンク７
が固定接続され、貯水タンク７の一端に圧力ポンプ８が固定接続され、圧力ポンプ８の一
端に輸送管９が固定接続され、輸送管９の一端と噴水ヘッド６とが固定接続されており、
接続フレーム３の内部に固定型ばね１０が固定接続され、固定型ばね１０の一端に調整プ
レート１１が固定接続され、調整プレート１１の一端に保護ブロック１２が固定接続され
、接続フレーム３の一端に密封バー１３が固定接続されている。浄化タンク２の底部に固
定フレーム１に係合する固定溝が開設され、浄化タンク２の底端の中部に貯水タンク７に
係合する凹溝が開設され、固定フレーム１の高度が貯水タンク７の高度より大きくする。
浄化タンク２の一端の底部に接続フレーム３に係合する溝口が開設され、浄化タンク２の
他端の頂部に通気ダクト４に係合する通気口が開設されている。浄化タンク２の頂端に噴
水ヘッド６に係合する固定溝が開設され、浄化タンク２の一端に輸送管９に係合する溝口
が開設されている。通気ダクト４は下向きに開口するＬ字状のダクトとし、通気ダクト４
の底部に濾過ネット５に係合する固定溝が開設されていることを特徴とする。噴水ヘッド
６の一端に輸送管９に係合する固定溝が開設され、貯水タンク７の底部の一端に圧力ポン
プ８に係合する出水孔が開設されている。接続フレーム３の両端に調整プレート１１に係
合する溝口が開設され、接続フレーム３の一端に密封バー１３に係合する固定溝が開設さ
れている。調節フレーム１１の一端に固定型ばね１０に係合する定位溝が開設され、調節
フレーム１１の他端に保護ブロック１２に係合する固定溝が開設されている。
【０００９】
本考案の動作原理について説明する。本クリーン工場のための空気清浄調和用小型ヒュー
ムフードは、その使用際において、通気ダクト４により浄化タンク２の内部に通気して、
濾過ネット５により通気ダクト４に入り込む空気を初歩濾過して、圧力ポンプ８を起動し
て、圧力ポンプ８により貯水タンク７内の水を輸送管９に導入して、輸送管９により水を
噴水ヘッド６に案内して、噴水ヘッド６により浄化タンク２内の水を噴出して、浄化タン
ク２の内部で水霧を形成して、浄化タンク２内の水霧により浄化タンク２内の空気中の灰
塵粒を吸付することによって、調和装置に通気する空気を除塵して、空気中の灰塵のクリ
ーン工場への侵入を防止できるので、クリーン工場に対する保護性を向上する。クリーン
工場のための空気清浄調和用小型ヒュームフードは、その使用際において、調整プレート
１１を引いて、調整プレート１１により固定型ばね１０を引き張って、調整プレート１１
を接続フレーム３の反対方向へ移動させて、両調整プレート１１間の距離を増加すること
で、接続フレーム３を調和装置の通気口に近接させて、調整プレート１１を固定型ばね１
０によって調和装置の通気口の外壁に係合接続させる。保護ブロック１２によって調整プ
レート１１と調和装置の通気口の外壁との摩擦を増大する。密封バー１２によって接続フ
レーム３と調和装置の通気口との密封性を向上する。接続フレーム３を快速で調和装置の
通気口に接続させることができるので、ヒュームフードの取付けおよび使用が便利である
。
【００１０】
述べたものは、本考案の実施形態だけであり、前記の具体のな実施形態は、普通技術者は
本考案の原理と精神の範疇内において、各種の変形及び修正、置換、変形を行うことがで
きる。本実用新案の保護範囲は、実用新案登録請求の範囲及びその均等物である。
【符号の説明】
【００１１】
１    固定フレーム
２    浄化タンク
３    接続フレーム
４    通気ダクト
５    濾過ネット
６    噴水ヘッド
７    貯水タンク
８    圧力ポンプ
９    輸送管
１０    固定型ばね
１１    調整プレート
１２    保護ブロック
１３    密封バー
【図１】
0003229686.tif 000003
【図２】
0003229686.tif 000004
【図３】
0003229686.tif 000005
【図４】
0003229686.tif 000006
【図５】
0003229686.tif 000007